【手続補正書】
【提出日】平成15年12月26日(2003.12.26)
【手続補正１】
【補正対象書類名】明細書
【補正対象項目名】特許請求の範囲
【補正方法】変更
【補正の内容】
【特許請求の範囲】
【請求項１】
入力される画像信号の所定値を越える高輝度部分を検出する検出手段と、
上記検出手段の検出に応じて上記画像信号の上記高輝度部分から周囲に離れるに従って抑圧が少なくなるような所定波形を有する制御信号を発生する発生手段と、
上記画像信号から色信号を分離する分離手段と、
上記制御信号により上記分離した色信号を抑圧する抑圧手段とを設けたことを特徴とする画像処理装置。
【請求項２】
上記検出手段の出力を記憶する第１の記憶手段を設け、上記発生手段は、上記第１の記憶手段の出力に応じて上記制御信号を発生すると共に、この制御信号を記憶する第２の記憶手段を設け、上記抑圧手段は、上記第２の記憶手段から読み出した制御信号を用いて上記色信号を抑圧することを特徴とする請求項１記載の画像処理装置。
【請求項３】
上記画像信号は撮像手段で撮像した信号であり、上記検出手段は、上記撮像手段の飽和した部分を上記高輝度部分として検出することを特徴とする請求項１記載の画像処理装置。
【請求項４】
上記制御信号は、上記高輝度部分において上記色信号のゲインを０とし、上記高輝度部分から周辺に離れるに従って抑圧を少なくし、所定の距離以上離れた所では抑圧しないような抑圧特性が得られる波形を有することを特徴とする請求項１記載の画像処理装置。
【請求項５】
上記所定波形は、２次元波形であることを特徴とする請求項１記載の画像処理装置。
【請求項６】
入力される画像信号の所定値を越える高輝度部分を検出する検出手順と、
上記画像信号の上記検出された上記高輝度部分から周囲に離れるに従って抑圧が少なくなるような所定波形を有する制御信号を発生する発生手順と、
上記画像信号から色信号を分離する分離手順と、
上記制御信号により上記分離した色信号を抑圧する抑圧手順とを設けたことを特徴とする画像処理方法。
【請求項７】
上記検出された上記高輝度部分を記憶する手順を設け、上記発生手順は、上記記憶された高輝度部分に応じて上記制御信号を発生すると共に、この制御信号を記憶する手順を設け、上記抑圧手順は、上記記憶された制御信号を読み出して上記色信号を抑圧することを特徴とする請求項６記載の画像処理方法。
【請求項８】
上記画像信号は撮像手段で撮像した信号であり、上記検出手順は、上記撮像手段の飽和した部分を上記高輝度部分として検出することを特徴とする請求項６記載の画像処理方法。
【請求項９】
上記制御信号は、上記高輝度部分において上記色信号のゲインを０とし、上記高輝度部分から周辺に離れるに従って抑圧を少なくし、所定の距離以上離れた所では抑圧しないような抑圧特性が得られる波形を有することを特徴とする請求項６記載の画像処理方法。
【請求項１０】
上記所定波形は、２次元波形であることを特徴とする請求項６記載の画像処理方法。
【請求項１１】
入力される画像信号の所定値を越える高輝度部分を検出する検出処理と、
上記画像信号の上記検出された上記高輝度部分から周囲に離れるに従って抑圧が少なくなるような所定波形を有する制御信号を発生する発生処理と、
上記画像信号から色信号を分離する分離処理と、
上記制御信号により上記分離した色信号を抑圧する抑圧処理とをコンピュータに実行させるためのプログラムを記憶したコンピュータ読み取り可能な記憶媒体。
【請求項１２】
上記検出された上記高輝度部分を記憶する処理をコンピュータに実行させるためのプログラムを記憶し、上記発生処理は、上記記憶された高輝度部分に応じて上記制御信号を発生すると共に、この制御信号を記憶する処理をコンピュータに実行させるためのプログラムを記憶し、上記抑圧処理は、上記記憶された制御信号を読み出して上記色信号を抑圧することを特徴とする請求項１１記載のコンピュータ読み取り可能な記憶媒体。
【請求項１３】
上記画像信号は撮像手段で撮像した信号であり、上記検出処理は、上記撮像手段の飽和した部分を上記高輝度部分として検出することを特徴とする請求項１１記載のコンピュータ読み取り可能な記憶媒体。
【請求項１４】
上記制御信号は、上記高輝度部分において上記色信号のゲインを０とし、上記高輝度部分から周辺に離れるに従って抑圧を少なくし、所定の距離以上離れた所では抑圧しないような抑圧特性が得られる波形を有することを特徴とする請求項１１記載のコンピュータ読み取り可能な記憶媒体。
【請求項１５】
上記所定波形は、２次元波形であることを特徴とする請求項１１記載のコンピュータ読み取り可能な記憶媒体。
【手続補正２】
【補正対象書類名】明細書
【補正対象項目名】０００６
【補正方法】変更
【補正の内容】
【０００６】
【課題を解決するための手段】
上記の目的を達成するために、本発明による画像処理装置においては、入力される画像信号の所定値を越える高輝度部分を検出する検出手段と、上記検出手段の検出に応じて上記画像信号の上記高輝度部分から周囲に離れるに従って抑圧が少なくなるような所定波形を有する制御信号を発生する発生手段と、上記画像信号から色信号を分離する分離手段と、上記制御信号により上記分離した色信号を抑圧する抑圧手段とを設けている。


【手続補正３】
【補正対象書類名】明細書
【補正対象項目名】０００７
【補正方法】変更
【補正の内容】
【０００７】
また、本発明による画像処理方法においては、入力される画像信号の所定値を越える高輝度部分を検出する検出手順と、上記画像信号の上記検出された上記高輝度部分から周囲に離れるに従って抑圧が少なくなるような所定波形を有する制御信号を発生する発生手順と、上記画像信号から色信号を分離する分離手順と、上記制御信号により上記分離した色信号を抑圧する抑圧手順とを設けている。


【手続補正４】
【補正対象書類名】明細書
【補正対象項目名】０００８
【補正方法】変更
【補正の内容】
【０００８】
また、本発明による記憶媒体においては、入力される画像信号の所定値を越える高輝度部分を検出する検出処理と、上記画像信号の上記検出された上記高輝度部分から周囲に離れるに従って抑圧が少なくなるような所定波形を有する制御信号を発生する発生処理と、上記画像信号から色信号を分離する分離処理と、上記制御信号により上記分離した色信号を抑圧する抑圧処理とをコンピュータに実行させるためのプログラムを記憶している。


【手続補正５】
【補正対象書類名】明細書
【補正対象項目名】００１１
【補正方法】変更
【補正の内容】
【００１１】
１４はディジタル画像信号の飽和を検出する飽和検出部、１５は先入れ先出し方式のＦＩＦＯメモリ、１６は制御信号を発生する制御信号発生部、１７は制御信号を保持するメモリ、１８はメモリ１７から制御信号を読み出し、抑圧信号Ｓｓを生成して出力する抑圧信号生成部である。


【手続補正６】
【補正対象書類名】明細書
【補正対象項目名】００１５
【補正方法】変更
【補正の内容】
【００１５】
Ａ／Ｄ変換器４の出力は、また、飽和検出部１４により所定の閾値を越えた部分を検出する等の方法により飽和部分が検出される。検出された飽和部分を示す信号は、ＦＩＦＯメモリ１５に一時保持される。ＦＩＦＯメモリ１５に保持された上記飽和部分を示す信号は、制御信号発生部１６において色信号を抑圧するための制御信号に変換され、メモリ１７に書き込まれる。メモリ１７に書き込まれた制御信号は、抑圧信号生成部１８により読み出され、抑圧信号Ｓｓとして抑圧部１２の制御信号として出力され、この制御信号により、上述のように色信号を抑圧する。


【手続補正７】
【補正対象書類名】明細書
【補正対象項目名】００２０
【補正方法】変更
【補正の内容】
【００２０】
図３は図１の要部である１４〜１８の各部の詳細な構成を示すブロック図である。
図３の飽和検出部１４において、１０１は所定の閾値を保持するレジスタ、１０２はコンパレータである。また、制御信号発生部１６において、１０３はパターン制御部、１０４はＦＩＦＯ１５から読み出したデータを保持する読み出しレジスタ、１０５はメモリ１７の書き込みアドレスを発生するアドレス発生部、１０６、１０７は加算器、１０８は所定のパターンを発生するパターン発生部である。また、抑圧信号生成部１８において、１０９はメモリ１７の読み出しアドレスを発生する読み出しアドレス発生部、１１０はレベル変換部である。


【手続補正８】
【補正対象書類名】明細書
【補正対象項目名】００２６
【補正方法】変更
【補正の内容】
【００２６】
上記の動作により、複数の飽和部分がある場合に、抑圧度の大きい方を優先した抑圧信号を生成することができる。
パターン制御部１０３は、上述の一連のアドレス及び２次元波形を発生し終わると、再度ＦＩＦＯ空き信号ＳＦＥを読み出し、空きの状態になるまで上記の動作を繰り返す。


【手続補正９】
【補正対象書類名】明細書
【補正対象項目名】００２８
【補正方法】変更
【補正の内容】
【００２８】
図４はパターン制御部１０３をマイクロコンピュータで構成した場合の処理を示すフローチャートである。
図４において、Ｓ２０１でスタートし、Ｓ２０２で、ＦＩＦＯメモリ１５に情報が記憶されているかどうかを示すＦＩＦＯ空き信号ＳＦＥを読み込む。Ｓ２０３で、この信号ＳＦＥがＦＩＦＯが空きの状態を示しているかどうかを判断し、空きの状態であれば、Ｓ２０２へ戻る。


【手続補正１０】
【補正対象書類名】明細書
【補正対象項目名】００２９
【補正方法】変更
【補正の内容】
【００２９】
ＦＩＦＯが空きでない状態の時は、Ｓ２０４へ進み、読み出しレジスタ１０４にＦＩＦＯメモリ１５に記憶されている走査位置を表すデータＳＲＤを読み出す。次に、Ｓ２０５において、アドレス発生部１０５に所定の順番の一連の水平及び垂直のアドレスを発生するように制御を行う。次に、Ｓ２０６において、パターン発生部１０８に、アドレス発生部１０５が発生するアドレスに対応した、所定の２次元波形を発生するように制御する。次に、Ｓ２０７において、アドレス発生部１０５におけるアドレス発生が終了したかどうかを判断し、終了していなければ再度Ｓ２０７に戻る。また、終了した場合は、Ｓ２０２に戻り、以上の制御を繰り返す。


【手続補正１１】
【補正対象書類名】明細書
【補正対象項目名】００３４
【補正方法】変更
【補正の内容】
【００３４】
【発明の効果】
以上説明したように、本発明によれば、連続的な滑らかな抑圧を行うことができ、画像信号における高輝度部分の画像劣化を低減することができる。


【手続補正１２】
【補正対象書類名】明細書
【補正対象項目名】００３５
【補正方法】変更
【補正の内容】
【００３５】
また、本発明の他の態様によれば、上記の効果を得るために、一度メモリに飽和部分の情報を記憶させるため、制御信号の発生は、必ずしも実時間で処理を行う必要が無くなり、処理能力の低い回路で実現できるため、低コストで最善の特性を得ることができる。


【手続補正１３】
【補正対象書類名】明細書
【補正対象項目名】００３６
【補正方法】変更
【補正の内容】
【００３６】
また、本発明のその他の態様によれば、撮像素子に入射した撮像素子の飽和以上の強度の光による部分の画像劣化を低減することができる。


【手続補正１４】
【補正対象書類名】明細書
【補正対象項目名】００３７
【補正方法】変更
【補正の内容】
【００３７】
また、本発明のその他の態様によれば、連続的な滑らかな抑圧を行うことができ、画像信号の不要な色付きや疑似輪郭等を無くすことができる。